(57)【要約】【課題】電子書籍の自動ページめくり方法の提供。【解決手段】電子書籍の自動ページめくり方法は、スキャナで一つの実体書籍をスキャンする方式で二つのオリジナルページを包含する一つのページオリジナルファイルを取得し、演算装置で変換パッケージを実行して該ページオリジナルファイルを電子書籍として記録し、入力装置により該変換パッケージを通して該電子書籍内の一つのデジタルページに一つのページめくり機能を書込み、且つリーダー装置で該電子書籍を読み取り、該リーダー装置は該ページめくり機能が書き込まれたデジタルページに到達した時、該ページめくり機能を起動し、該リーダー装置が二つのデジタルページを自動的に読み取って、該リーダー装置の表示スクリーンに表示する。本発明の実施により、リーダー装置の単一表示スクリーンにおいて、二ページ以上のデジタルページを含むページめくり版面を自動判別、並びに表示する効果を実現できる。【選択図】図１
2014002703.tif 000002
【特許請求の範囲】
【請求項１】
電子書籍の自動ページめくり方法において、
二つのデジタルページを包含する電子書籍を取得し、入力装置で該電子書籍内の一つのデジタルページに一つのページめくりイベントを書き込み、且つ該電子書籍を記憶装置に保存ステップ、及び、
リーダー装置で該電子書籍を読み取り、該リーダー装置が該ページめくり機能を書き込んだデジタルページに到達した時、該ページめくり機能を起動し、該リーダー装置に二つのデジタルページを自動で読み取らせ、
これらデジタルページを該リーダー装置の表示スクリーンに同時に表示するステップを包含することを特徴とする、電子書籍の自動ページめくり方法。
【請求項２】
請求項１記載の電子書籍の自動ページめくり方法において、該電子書籍は、演算装置で変換パッケージを実行して、二つのオリジナルページを包含する一つのページオリジナルファイルを電子書籍に変換する方式で取得されることを特徴とする、電子書籍の自動ページめくり方法。
【請求項３】
請求項２記載の電子書籍の自動ページめくり方法において、該ページオリジナルファイルはスキャナで少なくとも一つの実体書籍をスキャンする方式で取得されることを特徴とする、電子書籍の自動ページめくり方法。
【請求項４】
請求項２記載の電子書籍の自動ページめくり方法において、該ページオリジナルファイルはｐｄｆ形式とされることを特徴とする、電子書籍の自動ページめくり方法。
【請求項５】
請求項２記載の電子書籍の自動ページめくり方法において、該ページオリジナルファイルはｂｍｐ形式、ｊｐｇ形式、ｔｉｆ形式、ｐｎｇ形式或いはｇｉｆ形式のいずれかのイメージファイルとされることを特徴とする、電子書籍の自動ページめくり方法。
【請求項６】
請求項２記載の電子書籍の自動ページめくり方法において、該演算装置は、タブレットＰＣ、ノートブック型コンピュータ、デスクトップ型コンピュータのいずれかとされることを特徴とする、電子書籍の自動ページめくり方法。
【請求項７】
請求項２記載の電子書籍の自動ページめくり方法において、該変換パッケージは、仮想プリンタプログラムを包含し、該仮想プリンタプログラムは、仮想プリントの方式で、該ページオリジナルファイルを該ページめくり機能を包含する該電子書籍として変換することを特徴とする、電子書籍の自動ページめくり方法。
【請求項８】
請求項１記載の電子書籍の自動ページめくりにおいて、該電子書籍内の一つのデジタルページに、該入力装置で、表紙機能、裏表紙機能、或いはインデックスページ機能が書き込まれることを特徴とする、電子書籍の自動ページめくり方法。
【請求項９】
請求項１記載の電子書籍の自動ページめくり方法において、該リーダー装置はページめくりモードと単一ページモードを包含し、該リーダー装置は該ページめくりモード下で、該ページめくり機能を起動し、該リーダー装置に二つのデジタルページを自動で読み取らせ並びに該表示スクリーンに同時に表示させ、該単一ページモード下では、該リーダー装置は該ページめくり機能をジャンプし、該リーダー装置に一つのデジタルページを読み取らせ表示スクリーンに表示させることを特徴とする、電子書籍の自動ページめくり方法。
【請求項１０】
請求項１記載の電子書籍の自動ページめくり方法において、該ページめくり機能は、該ページめくり機能に関連する少なくとも二つのデジタルページに書き込まれ、該リーダー装置が該ページめくり機能が書き込まれた任意のデジタルページに到達した時に、該リーダー装置にこれらデジタルページを自動で読み取らせ、これらデジタルページを該リーダー装置の表示スクリーンに同時に表示させることを特徴とする、電子書籍の自動ページめくり方法。
【発明の詳細な説明】
【技術分野】
【０００１】
本発明は電子書籍の自動ページめくり方法に係り、一つのデジタルページに一つのページめくり機能を書き込み、これにより自動ページめくりが可能な電子書籍を製作する、電子書籍の自動ページめくり方法に関する。
【背景技術】
【０００２】
近年、デスクトップ型コンピュータ、ノートブック型コンピュータ、タブレットＰＣ、スマートフォン、携帯情報端末装置などの電子装置は一般的になり、消費者はこれら電子装置でペーパーレスの画像と文字を閲覧できるようになり、さらに、インターネットとクラウドサービスの迅速な発展により、電子ファイルでの画像と文書の保存と伝送は、すでに現在の主流となっている。また、省エネと二酸化炭素削減の環境保護意識の台頭により、書籍文献のペーパーレス化、電子化の概念も趨勢となっており、電子書籍産業も、この時代背景の下、次第に勃興発展する新興産業を形成し、現在、多くの大型書店は伝統的な紙の書籍のインターネット販売業務のほか、電子書籍の販売も増加しており、消費者の電子書籍に対する需要の成長がみてとれる。
【０００３】
電子装置の表示スクリーンの表示が便利であるように、電子ファイルの多くは単一ページを表示する形式を以て、多くの電子装置が単一の表示スクリーンしか有していない設計に合わせている。しかし、一部の電子ファイルは紙の書籍をスキャンして電子書籍としており、紙の書籍がもともと有しているページめくり版面或いは連続引きページ版面は同時には表示できず、読み取り上の不便を形成し得る。
【発明の概要】
【発明が解決しようとする課題】
【０００４】
本発明の目的は、電子書籍の自動ページめくり方法を提供することにあり、それは、電子書籍内にリーダー装置により起動される一つのページめくり機能を加え、該リーダー装置に該ページめくり機能を起動させて並びに自動読み取りさせ且つ同時に二つのデジタルページを表示させ、単一表示スクリーンに２ページ以上のページのページめくり版面を表示させる。
【０００５】
本発明の目的は、電子書籍の自動ページめくり方法を提供することにあり、変換パッケージで二つのオリジナルページを包含する一つのページオリジナルファイルを、一つのページめくり機能を包含する電子書籍として変換し、本来自動ページめくり機能を装備しないページオリジナルファイルをページめくり機能を備えた電子書籍形式とする。
【０００６】
本発明の目的は、電子書籍の自動ページめくり方法を提供することにあり、それは、変換パッケージで一つのデジタルページに表紙機能、裏表紙機能或いはインデックスページ機能を書き込み、リーダー装置で該デジタルページを読み取る時に、対応する表紙、裏表紙、インデックスページの特殊機能を提供する。
【課題を解決するための手段】
【０００７】
上述の目的を達成するため、本発明は電子書籍の自動ページめくり方法を提供し、それは、まず、スキャナで一つの実体書籍をスキャンする方式で、二つのオリジナルページを包含する一つのページオリジナルファイルを取得し、記憶装置に保存する。その後、演算装置で変換パッケージを実行して該ページオリジナルファイルを電子書籍として変換し、並びに入力装置で、該電子書籍内の一つのデジタルページに一つのページめくり機能を書き込み、且つ該電子書籍を該記憶装置に保存する。一つのリーダー装置で該電子書籍を読み取り、該リーダー装置に二つのデジタルページを自動で読み取らせ、これらデジタルページを該リーダー装置の表示スクリーンに同時に表示させる。
【０００８】
そのうち、該ページオリジナルファイルは、スキャナで一つの実体書籍をスキャンする方式で取得し、それは一つのオリジナルページを包含し、該ページオリジナルファイルは、ｐｄｆファイル、或いはｂｍｐ、ｊｐｇ、ｔｉｆ、ｐｎｇ、ｇｉｆ等の形式のイメージファイルとされ得る。該変換パッケージは、タブレットＰＣ、ノートブック型コンピュータ、或いはデスクトップ型コンピュータ等の演算装置において実行され、並びに仮想プリンタープログラムを包含し、仮想プリントの方式で、該ページオリジナルファイルを、一つのデジタルページと一つのページめくり機能を包含する該電子書籍に変換する。仮想プリンタは出力に便利な形式を選択して変換でき、且つ該ページめくり機能を保留し、まず自動ページめくり機能を装備しないページオリジナルファイルを該変換パッケージによりページめくり機能に書き込み及び変換することで、自動ページめくり機能を獲得できる。
【０００９】
このほか、該変換パッケージを通して、該電子書籍内の一つのデジタルページに表紙機能、裏表紙機能或いはインデックスページ機能を書き込み、該リーダー装置で該表紙機能、裏表紙機能或いはインデックスページ機能を認識或いは起動し、該リーダー装置に、電子書籍を選択するインタフェース中において、該表紙機能を書き込んだ該デジタルページの縮図を自動表示させ、該電子書籍閲覧過程中において、該インデックスページ機能を書き込んだ該デジタルページに戻らせるか、該裏表紙機能を書き込んだ該デジタルページに到達した時に、終了メッセージを表示させる。
【００１０】
また、該ページめくり機能はページめくりモードでのみ起動されて、単一ページモードで、該リーダー装置が該ページめくり機能をジャンプして、該リーダー装置が一つのデジタルページのみ読み取って該表示スクリーンに表示するよう設定でき、異なる使用者の読書に対する習慣に対応する。
【発明の効果】
【００１１】
本発明は電子書籍の自動ページめくり方法を提供する。それは、スキャナで一つの実体書籍をスキャンする方式で二つのオリジナルページを包含する一つのページオリジナルファイルを取得する。その後、変換パッケージで該ページオリジナルファイルを電子書籍として変換し、該変換パッケージにより、該電子書籍内の一つのデジタルページに一つのページめくり機能を書き込むことができる。最後に、リーダー装置で該電子書籍を読み取り、該リーダー装置が該ページめくり機能を書き込んだ一つのデジタルページに到達した時、該ページめくり機能を起動して、該リーダー装置に少なくとも二つのデジタルページを読み取らせ、これらデジタルページを同時に該リーダー装置の一つの表示スクリーンに表示させ、単一表示スクリーンのリーダー装置上でのページめくり版面の自動識別並びにページめくり版面が包含する２ページ以上のデジタルページの表示の効果を実現する。
【００１２】
また、異なる使用者の読書に対する習慣に合わせて、該ページめくり機能はただページめくりモード下でのみ起動され、単一ページモードでは、該ページめくり機能をジャンプするように設定し、それにより、該リーダー装置に単一デジタルページのみ読み取らせ尚且該単一デジタルページを該表示スクリーンに表示させることができる。
【００１３】
このほか、該変換パッケージは表紙機能、裏表紙機能或いはインデックスページ機能を書き込め、該リーダー装置に、該表紙機能、裏表紙機能或いはインデックスページ機能に対して、認識或いは起動し、表紙、裏表紙或いはインデックスページに対応する特殊リーダー機能を提供させられる。
【００１４】
且つ、該ページオリジナルファイルを、該ページめくり機能、該表紙機能、裏表紙機能或いはインデックスページ機能の書き込みの後に、変換して電子書籍とする出力動作に便利であるように、本発明の変換パッケージは、仮想プリンタを包含し、仮想プリント方式でスピーディーに、表紙、裏表紙或いはインデックスページ及びページめくり機能を有する電子書籍を出力でき、且つ本発明の実施により、もともと自動ページめくり機能を装備しないページオリジナルファイルをページめくり機能を有する電子書籍形式とすることが出来る。
【図面の簡単な説明】
【００１５】
【図１】本発明の第１実施例の実施ステップ図である。
【図２】本発明の第１実施例の各部関係表示図である。
【図３】本発明の第２実施例の各部関係表示図である。
【発明を実施するための形態】
【００１６】
本発明の技術内容、構造特徴、達成する目的を詳細に説明するため、以下に実施例を挙げ並びに図面を組み合わせて説明する。
【００１７】
本発明の電子書籍の自動ページめくり方法の特色は、以下のとおりである。変換パッケージにより、二つのオリジナルページを包含する一つのページオリジナルファイルを、一つのページめくり機能を包含する電子書籍に変換し、該電子書籍内にリーダー装置により起動された一つのページめくり機能を加え、該リーダー装置に該ページめくり機能を起動させ二つのデジタルページを自動で読み取り並びに同時に表示させる。本発明の実施を通し、該電子書籍の形式内に該ページめくり機能のメッセージを包含させ、該リーダー装置に該ページめくり機能を認識および起動させられ、二つのデジタルページを同時に読み取らせ、これらのデジタルページを該リーダー装置の表示スクリーンに同時に表示させる。
【００１８】
まず、図１及び図２を参照されたい。本発明の第１実施例の実施ステップ図及び各部関係表示図である。図１に示されるように、本発明の電子書籍の自動ページ送り方法のステップは以下のとおりである。
ＳＴ１：スキャナで実体書籍をスキャンし、二つのオリジナルページを包含する一つのページオリジナルファイルを取得し、該ページオリジナルファイルを記憶装置に保存する。
ＳＴ２：演算装置で変換パッケージを実行して該ページオリジナルファイルを電子書籍として変換し、入力装置で、該電子書籍内の一つのデジタルページに一つのページめくり機能、表紙機能、裏表紙機能、及びインデックスページ機能を書き込み、且つ該電子書籍を該記憶装置に保存する。
ＳＴ３：リーダー装置で該電子書籍を読み取り、該リーダー装置が該ページ送り機能が書き込まれたデジタルページに到達すると、該ページめくり機能を起動し、該リーダー装置に二つのデジタルページを読み取らせ、これらデジタルページを同時に該リーダー装置の表示スクリーンに表示させる。
【００１９】
図２に示されるように、実体書籍１を、スキャナ２でスキャンし、ページオリジナルファイル３を取得する。該ページオリジナルファイル３はｐｄｆファイルとし、且つ５つのオリジナルページを包含し、それぞれ第１オリジナルページ３１、第２オリジナルページ３２、第３オリジナルページ３３、第４オリジナルページ３４及び第５オリジナルページ３５とし、該ページオリジナルファイル３を記憶装置４に保存する。
【００２０】
演算装置６で、変換パッケージ５を実行し、該ページオリジナルファイル３を、該変換パッケージ５が包含する仮想プリンタプログラム５０で仮想プリントし、電子書籍８を発生し、該電子書籍８は、第１デジタルページ８１、第２デジタルページ８２、第３デジタルページ８３、第４デジタルページ８４及び第５デジタルページ８５を包含し、並びに入力装置７により、該第３デジタルページ８３にページめくり機能Ｅ１を書き込み、該第１デジタルページ８１に表紙機能Ｅ２を書き込み、該第２デジタルページ８２にインデックスページ機能Ｅ３を書き込み、該第５デジタルページ８５に、裏表紙機能Ｅ４を書き込み、且つ該電子書籍８を該記憶装置４に保存する。
【００２１】
リーダー装置９で該電子書籍８を読み取る時、該リーダー装置９は該ページめくり機能Ｅ１が書き込まれた該第３デジタルページ８３に到達した時、該ページめくり機能Ｅ１を起動し、該リーダー装置９に該第３デジタルページ８３と該第４デジタルページ８４を自動で読み取らせ、該第３デジタルページ８３と該第４デジタルページ８４を該リーダー装置９の表示スクリーン９０に同時に表示させる。
【００２２】
このほか、該リーダー装置９は電子書籍を選択するインタフェースにおいて、該電子書籍８の該表紙機能Ｅ２を認識して、該第１デジタルページ８１の縮図を自動でキャプチャされ表示され、その他の電子書籍の表紙機能が書き込まれたデジタルページの縮図を同時に表示して、使用者がそのうち一つの電子書籍を選択できるようにする。
【００２３】
該リーダー装置９は該電子書籍８を閲覧する時に、随時インデックスページに戻る機能を提供し、使用者がインデックスページに戻る操作をした時、該リーダー装置９は該インデックスページ機能Ｅ３を読み出し並びに認識し、該表示スクリーン９０に該第２デジタルページ８２を表示させる。
【００２４】
該リーダー装置９が該第５デジタルページ８５を読み取る時、該裏表紙機能Ｅ４を起動して、「最終ページ」の提示メッセージを表示し、使用者が再度クリックした場合、該電子書籍８の読み取りを自動終了し電子書籍選択のインタフェースに戻る。
【００２５】
該ページオリジナルファイル３が該変換パッケージ５の変換により該電子書籍８とされる時、該第３オリジナルページ３３に、ページめくり機能Ｅ１が書き込まれ、該リーダー装置９が該ページめくり機能Ｅ１に到達した時、該ページめくり機能Ｅ１を起動し、該第３オリジナルページ３３と該第４オリジナルページ３４を自動で読み取り、表示スクリーン９０に、該第３オリジナルページ３３と該第４オリジナルページ３４を同時に表示し、ページめくり機能を装備しない該ページオリジナルファイル３を、ページめくり機能を装備する該電子書籍８に変換し、且つ該リーダー装置９において、該ページめくり機能Ｅ１を自動認識し、ページめくり版面表示する効果を達成する。
【００２６】
該表紙機能Ｅ２、該裏表紙機能Ｅ４及び該インデックスページ機能Ｅ３もまた、該リーダー装置９により認識或いは起動され、該リーダー装置９に、表紙、裏表紙、インデックスに対応する特殊機能を提供させる。
【００２７】
図３を参照されたい。本発明の第２実施例の各部関係表示図である。記憶装置４０中に、電子書籍８０が保存され、該電子書籍８０は、９個のデジタルページを包含し、それぞれ、第１デジタルページ８０１、第２デジタルページ８０２、第３デジタルページ８０３、第４デジタルページ８０４、第５デジタルページ８０５、第６デジタルページ８０６、第７デジタルページ８０７、第８デジタルページ８０８、及び第９デジタルページ８０９とされる。そのうち、該第１デジタルページ８０１に、表紙機能Ｅ２０が書き込まれ、該第２デジタルページ８０２にインデックスページ機能Ｅ３０が書き込まれる。該第２デジタルページ８０２と該第３デジタルページ８０３にそれぞれ第１ページめくり機能Ｅ１０１が書き込まれ、該第５デジタルページ８０５、該第６デジタルページ８０６及び該第７デジタルページ８０７にそれぞれ第２ページめくり機能Ｅ１０２が書き込まれる。該第９デジタルページ８０９に裏表紙機能Ｅ４０が書き込まれる。
【００２８】
ページ送りモードＭ１に設定されたリーダー装置９１で、該電子書籍８０を読み取る時、該リーダー装置９１は電子書籍選択のインタフェースにおいて、該電子書籍８０の該表紙機能Ｅ２０を認識して、該第１デジタルページ８０１の縮図をキャプチャし表示し、該第１デジタルページ８０１の縮図とその他の電子書籍の表紙機能が書き込まれたデジタルページの縮図と共に、電子書籍選択のインタフェースに表示して使用者がそのうちの一つの電子書籍を選択できるようにする。
【００２９】
使用者が該電子書籍８０を閲覧している時に、インデックスページに戻る操作をした時、該リーダー装置９１は該インデックスページ機能Ｅ３０を読み出し認識し、該リーダー装置９１の表示スクリーン９１０に、該第２デジタルページ８０２を表示させる。このとき、該リーダー装置９１は該第２デジタルページ８０２に書き込まれた該第１ページめくり機能Ｅ１０１を起動し、該第２デジタルページ８０２と該第３デジタルページ８０３を自動で読み取り、該第２デジタルページ８０２と該第３デジタルページ８０３を同時に該表示スクリーン９１０に表示する。
【００３０】
使用者がページをめくって閲覧する、或いはページジャンプを選定する時に、該リーダー装置９１が該第１ページめくり機能Ｅ１０１が書き込まれた第２デジタルページ８０２或いは該第３デジタルページ８０３に到達した時、該第１ページめくり機能Ｅ１０１をトリガし、該リーダー装置９１に該第２デジタルページ８０２と該第３デジタルページ８０３を自動で読み取らせ、並びに該第２デジタルページ８０２と該第３デジタルページ８０３を同時に該表示スクリーン９１０に表示する。
【００３１】
使用者がページをめくって閲覧する、或いはページジャンプを選定する時に、該リーダー装置９１が該第２ページめくり機能Ｅ１０２が書き込まれた第５デジタルページ８０５、該第６デジタルページ８０６或いは該第７デジタルページ８０７に到達した時、該第２ページ送り機能Ｅ１０２を起動し、該リーダー装置９１に第５デジタルページ８０５、該第６デジタルページ８０６或いは該第７デジタルページ８０７を自動で読み取らせ、第５デジタルページ８０５、該第６デジタルページ８０６或いは該第７デジタルページ８０７を同時に該表示スクリーン９１０に表示する。
【００３２】
該リーダー装置９１が該第９デジタルページ８０９を読み取る時、該裏表紙機能Ｅ４０を起動し、「最終ページ」の提示メッセージを表示し、使用者が再度クリックした時、該電子書籍８０の読み取りを自動終了し、電子書籍選択のインタフェースに戻る。
【００３３】
単一ページモードＭ２に設定したリーダー装置９２で該電子書籍８０を読み取る時、該リーダー装置９２は、該第１ページ送り機能Ｅ１０１と該第２ページ送り機能Ｅ１０２を認識しない。これにより、該リーダー装置９２が該電子書籍８０を読み取る時は、電子書籍選択のインタフェースにおいて、該電子書籍８０の、該表紙機能Ｅ２０が認識され、該第１デジタルページ８０１の縮図が自動キャプチャされ表示され、使用者がインデックスページに戻る操作をした時、該インデックスページ機能Ｅ３０を自動で呼び出し該第２デジタルページ８０２を表示する。該第９デジタルページ８０９を読み取る時、該裏表紙機能Ｅ４０を起動して「最終ページ」の提示メッセージを表示し、使用者が再度クリックすると、該電子書籍８０の読み取りを自動終了し、電子書籍選択のインタフェースに戻る。
【００３４】
しかし、該第２デジタルページ８０２或いは該第３デジタルページ８０３に到達した時、該第１ページめくり機能Ｅ１０１を起動せず、表示スクリーン９２０には該第２デジタルページ８０２或いは該第３デジタルページ８０３を表示し、後ろ向き或いは前向きのページめくり命令が下されてはじめて、該第３デジタルページ８０３或いは該第２デジタルページ８０２を表示する。該第５デジタルページ８０５或いは該第６デジタルページ８０６或いは該第７デジタルページ８０７に到達した時は、該第２ページめくり機能Ｅ１０２を起動せず、表示スクリーン９２０には該第５デジタルページ８０５或いは該第６デジタルページ８０６或いは該第７デジタルページ８０７を表示し、一回或いは二回の後ろ向き或いは前向きのページめくり命令が下されてはじめて、その他のデジタルページ８０５〜８０７を表示する。
【００３５】
ゆえに、該リーダー装置９１或いはリーダー装置９２は、該ページめくりモードＭ１或いは該単一ページモードＭ２に設定でき、該ページめくりモードＭ１においては、正常に該第１ページめくり機能Ｅ１０１或いは該第２ページめくり機能Ｅ１０２を起動でき、該第２デジタルページ８０２と該第３デジタルページ８０３、或いは第５デジタルページ８０５、該第６デジタルページ８０６及び該第７デジタルページ８０７を自動で読み取り並びに該表示スクリーン９１０中に同時に表示できる。該単一ページモードＭ２では、該リーダー装置９２は、該第１ページめくり機能Ｅ１０１或いは該第２ページめくり機能Ｅ１０２を自動ジャンプし、該リーダー装置９２が、該第２デジタルページ８０２、該第３デジタルページ８０３、第５デジタルページ８０５、該第６デジタルページ８０６或いは該第７デジタルページ８０７を読み取る時、僅かに、該第２デジタルページ８０２、該第３デジタルページ８０３、第５デジタルページ８０５、該第６デジタルページ８０６或いは該第７デジタルページ８０７等の単一デジタルページを該表示スクリーン９２０に表示する。こうして、該ページめくりモードＭ１と該単一ページモードＭ２の切換えにより、異なる使用者の読書に対する習慣に対応することができる。
【００３６】
本発明は電子書籍の自動ページめくり方法であり、スキャナで一つの実体書籍をスキャンする方式で二つのオリジナルページを包含する一つのページオリジナルファイルを取得し、並びに変換パッケージを実行して、該ページオリジナルファイルを電子書籍として変換し、該変換パッケージにより、該電子書籍内の一つのデジタルページに一つのページめくり機能を書き込み、且つ、リーダー装置で該電子書籍を読み取り、該リーダー装置が該ページめくり機能を書き込んだ一つのデジタルページに到達した時、該ページめくり機能を起動して、該リーダー装置に二つのデジタルページを読み取らせ、並びにこれらデジタルページを同時に該リーダー装置の一つの表示スクリーンに表示させる。
【００３７】
本発明の実施により、もともとページめくり機能を装備しないページオリジナルファイルを変換してページ送り機能を有する電子書籍とすることができ、且つ該リーダー装置で該電子書籍を閲覧する時に、該ページめくり機能を起動しページめくり版面を自動表示できる。
【００３８】
また、該変換パッケージにより、該電子書籍の少なくとも一つのデジタルページに表紙機能、裏表紙機能或いはインデックスページ機能を書き込んで、該リーダー装置に、該表紙機能、裏表紙機能或いはインデックスページ機能にあわせて、該表紙、裏表紙、インデックスに対応する特殊機能と効果を提供させることができる。
【００３９】
また、異なる使用者の読書に対する習慣にあわせて、該ページめくり機能はページめくりモード下でのみ起動されて、単一ページモード下では該リーダー装置は該ページめくり機能をジャンプし、該リーダー装置が一つのデジタルページのみ読み取り並びに該表示スクリーンに表示するように設定できる。
【００４０】
本発明は新規性、進歩性、及び産業上の利用価値を有する発明であり、特許の要件に符合する、ゆえに、ここに特許出願をする次第です。
【００４１】
なお、以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４２】
１        実体書籍
２        スキャナ
３        ページオリジナルファイル
３１      第１オリジナルページ
３２      第２オリジナルページ
３３      第３オリジナルページ
３４      第４オリジナルページ
３５      第５オリジナルページ
４        記憶装置（第１実施例）
４０      記憶装置（第２実施例）
５        変換パッケージ
５０      仮想プリンタプログラム
６        演算装置
７        入力装置
８        電子書籍（第１実施例）
８０      電子書籍（第２実施例）
８０１    第１デジタルページ（第２実施例）
８０２    第２デジタルページ（第２実施例）
８０３    第３デジタルページ（第２実施例）
８０４    第４デジタルページ（第２実施例）
８０５    第５デジタルページ（第２実施例）
８０６    第６デジタルページ（第２実施例）
８０７    第７デジタルページ（第２実施例）
８０８    第８デジタルページ（第２実施例）
８０９    第９デジタルページ（第２実施例）
８１      第１デジタルページ（第１実施例）
８２      第２デジタルページ（第１実施例）
８３      第３デジタルページ（第１実施例）
８４      第４デジタルページ（第１実施例）
８５      第５デジタルページ（第１実施例）
９        リーダー装置（第１実施例）
９０      表示スクリーン（第１実施例）
９１      リーダー装置（第２実施例）
９１０    表示スクリーン（第２実施例）
９２      リーダー装置（第２実施例）
９２０    表示スクリーン（第２実施例）
Ｅ１      ページめくり機能（第１実施例）
Ｅ１０１  第１ページめくり機能（第２実施例）
Ｅ１０２  第２ページめくり機能（第２実施例）
Ｅ２      表紙機能（第１実施例）
Ｅ２０    表紙機能（第２実施例）
Ｅ３      インデックスページ機能（第１実施例）
Ｅ３０    インデックスページ機能（第２実施例）
Ｅ４      裏表紙機能（第１実施例）
Ｅ４０    裏表紙機能（第２実施例）
ＳＴ１    実施ステップ一
ＳＴ２    実施ステップ二
ＳＴ３    実施ステップ三
【図１】
2014002703.tif 000003
【図２】
2014002703.tif 000004
【図３】
2014002703.tif 000005
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
電子書籍の自動ページめくり方法において、
二つのデジタルページを包含する電子書籍を取得し、入力装置で該電子書籍内の一つのデジタルページに一つのページめくりイベントを書き込み、且つ該電子書籍を記憶装置に保存ステップ、及び、
リーダー装置で該電子書籍を読み取り、該リーダー装置が該ページめくり機能を書き込んだデジタルページに到達した時、該ページめくり機能を起動し、該リーダー装置に二つのデジタルページを自動で読み取らせ、
これらデジタルページを該リーダー装置の表示スクリーンに同時に表示するステップを包含し、
該リーダー装置はページめくりモードと単一ページモードを包含し、該リーダー装置は該ページめくりモード下で、該ページめくり機能を起動し、該リーダー装置に二つのデジタルページを自動で読み取らせ並びに該表示スクリーンに同時に表示させ、該単一ページモード下では、該リーダー装置は該ページめくり機能をジャンプし、該リーダー装置に一つのデジタルページを読み取らせ表示スクリーンに表示させることを特徴とする、電子書籍の自動ページめくり方法。
【請求項２】
請求項１記載の電子書籍の自動ページめくり方法において、該電子書籍は、演算装置で変換パッケージを実行して、二つのオリジナルページを包含する一つのページオリジナルファイルを電子書籍に変換する方式で取得されることを特徴とする、電子書籍の自動ページめくり方法。
【請求項３】
請求項２記載の電子書籍の自動ページめくり方法において、該ページオリジナルファイルはスキャナで少なくとも一つの実体書籍をスキャンする方式で取得されることを特徴とする、電子書籍の自動ページめくり方法。
【請求項４】
請求項２記載の電子書籍の自動ページめくり方法において、該ページオリジナルファイルはｐｄｆ形式とされることを特徴とする、電子書籍の自動ページめくり方法。
【請求項５】
請求項２記載の電子書籍の自動ページめくり方法において、該ページオリジナルファイルはｂｍｐ形式、ｊｐｇ形式、ｔｉｆ形式、ｐｎｇ形式或いはｇｉｆ形式のいずれかのイメージファイルとされることを特徴とする、電子書籍の自動ページめくり方法。
【請求項６】
請求項２記載の電子書籍の自動ページめくり方法において、該演算装置は、タブレットＰＣ、ノートブック型コンピュータ、デスクトップ型コンピュータのいずれかとされることを特徴とする、電子書籍の自動ページめくり方法。
【請求項７】
請求項２記載の電子書籍の自動ページめくり方法において、該変換パッケージは、仮想プリンタプログラムを包含し、該仮想プリンタプログラムは、仮想プリントの方式で、該ページオリジナルファイルを該ページめくり機能を包含する該電子書籍として変換することを特徴とする、電子書籍の自動ページめくり方法。
【請求項８】
請求項１記載の電子書籍の自動ページめくりにおいて、該電子書籍内の一つのデジタルページに、該入力装置で、表紙機能、裏表紙機能、或いはインデックスページ機能が書き込まれることを特徴とする、電子書籍の自動ページめくり方法。
【請求項９】
請求項１記載の電子書籍の自動ページめくり方法において、該ページめくり機能は、該ページめくり機能に関連する少なくとも二つのデジタルページに書き込まれ、該リーダー装置が該ページめくり機能が書き込まれた任意のデジタルページに到達した時に、該リーダー装置にこれらデジタルページを自動で読み取らせ、これらデジタルページを該リーダー装置の表示スクリーンに同時に表示させることを特徴とする、電子書籍の自動ページめくり方法。